(57)【要約】  【課題】  平時は画像選択記録操作方法（画像選択記録モード）を使用し、必要に応じて画像即時記録操作方法（画像即時記録モード）に切り換えて使用することを可能とし、診察効率を向上させる。  【解決手段】  スイッチ７ｃで選択された操作方法（画像記録モード）に対応してＣＰＵ１０が以下の各部を制御する。第１の画像記録モード選択時に内視鏡１のスイッチ１ａを押すと、画像データ６ａはフレームメモリ１２ａに一時記憶され、他の操作を待たずに画像記録装置９に転送される。一方、第２の画像記録モードを選択してスイッチ１ａを押すと、画像データ６ａはフレームメモリ１２ａに一時記憶され、続いてスイッチ７ａを押すと画像記録装置９に転送される。【選択図】  図１
2005288182.tif 000002
【特許請求の範囲】
【請求項１】
内視鏡に設けた撮像手段或いは内視鏡に接続された撮像手段により撮像される被写体像の画像データを保存するための内視鏡画像記録装置において、
前記撮像手段から入力される画像データを一時記憶するための画像一時記憶手段と、
前記画像一時記憶手段に一時記憶されている画像データを保存するための画像保存手段と、
前記画像一時記憶手段及び前記画像保存手段に画像データを記録させるための指示を入力するための１つ以上の画像記録指示手段と、
前記１つの画像記録指示手段に対する操作によって得られる前記画像一時記憶手段に一時記憶される画像データをすべて画像保存手段に保存する第１の画像記録モード、及び前記画像一時記憶手段に一時記憶される画像データのうち他の１つの画像記録指示手段に対する操作によって選択された画像データのみを前記画像保存手段に保存する第２の画像記録モードのなかから１つの画像記録モードを選択するための画像記録モード選択手段と、
前記選択された画像記録モードに対応して前記画像一時記憶手段及び前記画像保存手段に画像データを記録するための制御を行う画像記録制御手段と、
を備えたことを特徴とする内視鏡画像記録装置。
【請求項２】
前記画像記録指示手段は、
前記画像記録モード選択手段により前記第１の画像記録モードが選択されている場合に、前記画像一時記憶手段及び前記画像保存手段に画像データを記録する指示を入力するための第１の画像記録指示手段と、
前記画像記録モード選択手段により前記第２の画像記録モードが選択されている場合に、前記画像一時記憶手段に画像データを一時記憶するための指示を入力するための第２の画像記録指示手段と、
前記画像記録モード選択手段により前記第２の画像記録モードが選択されている場合に、前記画像一時記憶手段に一時記憶されている画像データを選択的に前記画像保存手段に保存する指示を入力するための第３の画像記録指示手段と、
を備えていることを特徴とする請求項１に記載の内視鏡画像記録装置。
【請求項３】
前記第１の画像記録指示手段及び前記第２の画像記録指示手段は、同一のスイッチにより構成されていることを特徴とする請求項２に記載の内視鏡画像記録装置。
【請求項４】
画像表示手段に映像信号を出力するための映像信号出力手段と、
前記画像記録モード選択手段により選択可能な前記画像記録モードの一覧を、前記画像表示手段に表示するための画像データであるモード一覧画像を生成する画像記録モード一覧画像生成手段と、
前記画像記録モード一覧画像生成手段を作動させて前記モード一覧画像を前記映像表示手段へ出力させる指示を入力するためのモード一覧画像表示指示手段と、
を備えたことを特徴とする請求項１に記載の内視鏡画像記録装置。
【発明の詳細な説明】
【技術分野】
【０００１】
本発明は、内視鏡に設けた撮像手段或いは内視鏡に接続された撮像手段により撮像される被写体像の画像データを保存するための内視鏡画像記録装置に関する。
【背景技術】
【０００２】
医療の分野においては、内視鏡などに設けた撮像手段によって被写体像を撮像し光電変換して得られる画像データを保存する内視鏡画像記録装置が、多用されている。このような内視鏡画像記録装置は、例えば内視鏡の操作部に備えられた画像取得スイッチを押下するなどの操作を行うことにより、観察中の被写体像の画像データを取得して保存することができるようになっている。
【０００３】
しかしながら、内視鏡を使用している際に保存した複数の画像データの内には、不要な画像データも含まれることがしばしば起こり、内視鏡による観察を終了後、不要な画像データを削除する作業が発生する場合がある。一方、不要な画像を保存してしまうことを避けるために、前記画像取得スイッチの操作を躊躇すると、必要なシャッタチャンスを逃してしまう場合がある。
【０００４】
この問題を解決するために応用できる従来技術として、例えば特開平７−３８８３８号及び特開昭６２−３９９８５号公報で提案されている電子スチルカメラは、シャッタボタンの操作により被写体の画像データをフレームメモリなどの画像一時記憶手段に一時記憶し、一時記憶されている画像データを取捨選択する操作を撮影者が行ってから、選択した画像データのみをメモリカードなどの画像保存手段に保存する構成としている。
【０００５】
これらの従来技術を応用すれば、内視鏡による被写体の画像データを一時記憶し、一時記憶された画像データのなかから必要な画像データを取捨選択するように内視鏡画像記録装置を構成することにより、前記問題を解決することができる。
【０００６】
なお、本明細書においては便宜的に、画像取得スイッチの操作によって画像データを取得して保存する画像記録操作方法（画像記録モード）を画像即時記録操作方法（画像即時記録モード）と呼び、画像取得スイッチの操作によって画像データを一時記憶した後にこの一時記憶した画像データを取捨選択して保存する操作を行う画像記録操作方法（画像記録モード）を画像選択記録操作方法（画像選択記録モード）と呼ぶ。
【発明の開示】
【発明が解決しようとする課題】
【０００７】
前述の従来技術では、画像選択記録操作方法（画像選択記録モード）及び画像即時記録操作方法（画像即時記録モード）の両方の画像記録操作方法（画像記録モード）を一つの内視鏡画像記録装置において選択可能な構成となっていないために不都合が生じる場合がある。        
例えば、画像選択記録操作方法（画像選択記録モード）のみに対応した内視鏡画像記録装置を患者の診察に使用する場合には、画像取得スイッチにより被写体の画像データを一時記憶し、画像データを一時記憶する毎にこれらの画像データを取捨選択するための操作を行う必要がある。しかしながら、この構成では、患者の数が多く短時間に多くの患者の診察を行わなければならないような場合には、画像即時記録操作方法（画像即時記録モード）に対応していないため、診察効率が悪くなってしまう虞れがある。このような場合、平時は画像選択記録操作方法（画像選択記録モード）を使用し、必要に応じて画像即時記録操作方法（画像即時記録モード）に切り換えて使用することができれば、診察の効率を向上することができる。  
このように、内視鏡画像記録装置が単一の画像記録操作方法（画像記録モード）のみを有する場合には、操作者の多様な使用環境に対応することができない。
【０００８】
本発明は、上述した問題点に鑑みてなされたものであり、１つの画像記録指示手段に対する操作によって得られる画像一時記憶手段に一時記憶される画像データをすべて画像保存手段に保存する第１の画像記録モード、及び前記画像一時記憶手段に一時記憶される画像データのうち他の１つの画像記録指示手段に対する操作によって選択された画像データのみを前記画像保存手段に保存する第２の画像記録モードのなかから１つの画像記録モードを選択することを可能とし、操作効率を向上させた内視鏡画像記録装置を提供することを目的としている。
【課題を解決するための手段】
【０００９】
前記目的を達成するため本発明による内視鏡画像記録装置は、内視鏡に設けた撮像手段或いは内視鏡に接続された撮像手段により撮像される被写体像の画像データを保存するための内視鏡画像記録装置において、
前記撮像手段から入力される画像データを一時記憶するための画像一時記憶手段と、前記画像一時記憶手段に一時記憶されている画像データを保存するための画像保存手段と、前記画像一時記憶手段及び前記画像保存手段に画像データを記録させるための指示を入力するための１つ以上の画像記録指示手段と、前記１つの画像記録指示手段に対する操作によって得られる前記画像一時記憶手段に一時記憶される画像データをすべて画像保存手段に保存する第１の画像記録モード、及び前記画像一時記憶手段に一時記憶される画像データのうち他の１つの画像記録指示手段に対する操作によって選択された画像データのみを前記画像保存手段に保存する第２の画像記録モードのなかから１つの画像記録モードを選択するための画像記録モード選択手段と、前記選択された画像記録モードに対応して前記画像一時記憶手段及び前記画像保存手段に画像データを記録するための制御を行う画像記録制御手段と、を備えたことを特徴とする。
【発明の効果】
【００１０】
本発明によれば、１つの画像記録指示手段に対する操作によって得られる画像一時記憶手段に一時記憶される画像データをすべて画像保存手段に保存する第１の画像記録モード、及び前記画像一時記憶手段に一時記憶される画像データのうち他の１つの画像記録指示手段に対する操作によって選択された画像データのみを前記画像保存手段に保存する第２の画像記録モードのなかから１つの画像記録モードを選択することが可能であり、操作効率を向上させることができる。
【発明を実施するための最良の形態】
【００１１】
以下、図面を参照して本発明の実施例を説明する。  
【実施例】
【００１２】
図１ないし図８は本発明の実施例１に係り、図１は内視鏡画像記録装置の構成を示すブロック図、図２は制御動作の初期動作を示すフローチャート、図３は画像即時記録操作方法に対応する制御動作を示すフローチャート、図４は画像選択記録操作方法に対応する制御動作を示すフローチャート、図５は画像処理部の構成を示すブロック図、図６はフィールド・フレーム変換の動作を説明するための説明図、図７はフィールド・フレーム変換の動作を説明するためのタイムチャート、図８は強調処理の効果を説明するための画面構成図である。
【００１３】
図１を使用して、本実施例１における内視鏡画像記録装置３１の構成を説明する。まず、内視鏡画像記録装置３１に接続される内視鏡１で撮像した被写体像を内視鏡画像記録装置３１に接続される映像表示手段であるモニタ装置１６に表示するための構成を説明する。  
電子内視鏡１は、この電子内視鏡１が撮像した被写体像の映像信号である内視鏡映像信号１ｃを出力する。この内視鏡映像信号１ｃは、映像信号処理回路４に入力され、この映像信号処理回路４は、内視鏡映像信号１ｃを赤・緑・青のＲＧＢ方式の映像信号であるＲＧＢ映像信号４ａに変換する。このＲＧＢ映像信号４ａは、Ａ／Ｄ変換回路５に入力され、このＡ／Ｄ変換回路５は、ＲＧＢ映像信号５ａをアナログ・ディジタル変換して画像データ５ａを出力する。
【００１４】
この画像データ５ａは、画像処理部６に入力され、画像処理部６は、画像データ５ａに画像強調などの後記する画像処理を施して画像データ６ａを出力する。この画像データ６ａは、映像信号出力手段であるＤ／Ａ変換回路１５に入力され、このＤ／Ａ変換回路１５は、画像データ６ａをディジタル・アナログ変換して、モニタ装置１６に表示可能なＲＧＢ方式などのモニタ表示用映像信号１５ａを出力する。このモニタ表示用映像信号１５ａはモニタ装置１６に入力される。このモニタ装置１６は、前記内視鏡１によって撮像された被写体像を表示する。以上により、内視鏡１で撮像した被写体像は、モニタ装置１６に表示される。
【００１５】
次に、画像処理部６から出力される画像データ６ａを一時記憶する画像一時記憶手段の構成、及びこの一時記憶手段を制御するための構成を説明する。  
前記画像処理部６から出力される画像データ６ａは、前記Ｄ／Ａ変換回路１５に入力されるばかりでなく、この画像データ６ａを一時記憶するための画像一時記憶手段である２個のフレームメモリ１２ａ、１２ｂを有するメモリ１２に入力される。
【００１６】
このメモリ１２は、メモリ制御部１１を介して、内視鏡画像記録装置３１の各部の動作を制御するための主要な制御手段であるＣＰＵ１０からの制御信号１０ｃによって動作を制御されている。２個のフレームメモリ１２ａ、１２ｂの内、ＣＰＵ１０により更新許可状態にされた１個のフレームメモリのみが、画像処理部６からの画像データ６ａを新たに一時記憶することができる。また、ＣＰＵ１０により更新許可状態にされた１個のフレームメモリ以外のフレームメモリは、更新禁止状態となっている。更新禁止状態となっているフレームメモリは、更新許可状態であった際に最後に一時記憶した画像データを更新禁止状態の間保持している。
【００１７】
画像処理部６とメモリ１２との間には、メモリ１２の接続先を選択するためのセレクタ１８が配設されている。このセレクタ１８は、メモリ１２の接続先として２つの接続先１８ａ、１８ｂの内いずれか１つの接続先を選択できるようになっている。このセレクタ１８において接続先１８ｂが選択されている場合には、メモリ１２は画像処理部６からの画像データ６ａを入力するようになっている。このセレクタ１８における接続先１８ａ、１８ｂの選択は、ＣＰＵ１０からの制御信号１０ｂによって制御される。
【００１８】
次に、フレームメモリ１２ａ、１２ｂに一時記憶された画像データを保存するための画像保存手段の構成、及びフレームメモリ１２ａ、１２ｂから画像保存手段へ画像データを転送するための構成を説明する。  
前記セレクタ１８における接続先が接続先１８ａの状態である場合には、メモリ１２はこのセレクタ１８を介してＣＰＵ１０のデータバス８ａに接続される。これにより、ＣＰＵ１０は、メモリ１２内のフレームメモリ１２ａ、１２ｂに一時記憶されている画像データを読み込むことができる。一方、ＣＰＵ１０のデータバス８ａは、画像保存手段である画像記録装置９に接続されているＩ／Ｏインタフェース回路８にも接続されており、ＣＰＵ１０は画像記録装置９に画像データを書き込むことができる。これらの構成により、フレームメモリ１２ａ、１２ｂに一時記憶されている画像データを画像記録装置９に転送することができる。
【００１９】
次に、画像データ６ａをフレームメモリ１２ａ、１２ｂに一時記憶し、画像記録装置９に保存する一連の操作である画像記録操作を行うために、操作者が内視鏡画像記録装置３１に対して指示を入力するための画像記録指示手段の構成を説明する。
【００２０】
内視鏡１には、画像データ６ａをフレームメモリ１２ａ、１２ｂに一時記憶させる指示などを入力するための第１の画像記録指示手段であるレリーズスイッチ１ａが配設されている。このレリーズスイッチ１ａは、操作者による操作力が加えられていない時にはＯＦＦ状態で、操作力が加えられている時にはＯＮ状態となる。レリーズスイッチ１ａの状態を伝えるための信号１ｂは、内視鏡スイッチ検出部２によって検出され、ＵＡＲＴ３によりＲＳ−２３２Ｃ等のシリアルインタフェース信号に変換され、ＣＰＵ１０と周辺装置との入出力インタフェース手段であるＩ／Ｏインタフェース回路８に入力される。
【００２１】
入力操作部７には、フレームメモリ１２ａ、１２ｂに一時記憶されている画像データを画像記録装置９に転送するための指示を入力するための第２の画像記録指示手段である画像記録スイッチ７ａが配設されている。この画像記録スイッチ７ａは、操作者による操作力が加えられていない時にはＯＦＦ状態で、操作力が加えられている時にはＯＮ状態となる。画像記録スイッチ７ａの状態を伝えるための信号７ｂは、Ｉ／Ｏインタフェース回路８に入力される。
【００２２】
レリーズスイッチ１ａ、画像記録スイッチ７ａとからなる画像記録指示手段の状態は、Ｉ／Ｏインタフェース回路８から信号線１０ａを通してＣＰＵ１０に入力される。従って、ＣＰＵ１０は、レリーズスイッチ１ａの状態、及び画像記録スイッチ７ａの状態を検出することができる構成となっている。
【００２３】
内視鏡画像記録装置３１は、画像データ６ａをフレームメモリ１２ａ、１２ｂに一時記憶し画像記録装置９に保存するまでの画像記録指示手段に対する一連の画像記録操作方法（画像記録モード）を画像即時記録操作方法（画像即時記録モード）及び画像選択記録操作方法（画像選択記録モード）の２つの画像記録操作方法（画像記録モード）の内から選択可能となっている。
【００２４】
前記画像即時記録操作方法（画像即時記録モード）が選択されている場合には、レリーズスイッチ１ａをＯＮ状態にすることのみによって、画像データ６ａがフレームメモリ１２ａ、１２ｂに一時記憶され、他の操作を待たずに、一時記憶されている画像データが画像記録装置９に保存される。
【００２５】
前記画像選択記録操作方法（画像選択記録モード）が選択されている場合には、レリーズスイッチ１ａをＯＮ状態にすることによって、画像データ６ａがフレームメモリ１２ａ、１２ｂにに一時記憶され、更に画像記録スイッチ７ａをＯＮ状態にすることによって、一時記憶されている画像データが画像記録装置９に保存される。
【００２６】
画像記録操作方法（画像記録モード）を選択するための画像記録モード選択手段の構成を説明する。  
入力操作部７には、画像記録モード選択手段である画像選択記録スイッチ７ｃが配設されている。画像選択記録スイッチ７をＯＦＦ状態にすると画像即時記録操作方法（画像即時記録モード）が選択され、画像選択記録スイッチ７をＯＮ状態にすると画像選択記録操作方法（画像選択記録モード）が選択される。画像選択記録スイッチ７ｃは、ＯＮ状態からＯＦＦ状態に切り替える際及びＯＦＦ状態からＯＮ状態に切り替える際に操作力を必要とし、操作力が加えられていない時には状態が維持される。画像選択記録スイッチ７ｃがＯＦＦ状態の際には画像即時記録操作方法（画像即時記録モード）に対応して動作し、ＯＮ状態の際には画像選択記録操作方法（画像選択記録モード）に対応して動作する。画像選択記録スイッチ７ｃの状態を伝えるための信号７ｄは、Ｉ／Ｏインタフェース回路８に入力され、信号線１０ａを通してＣＰＵ１０に入力される。従って、ＣＰＵ１０は、画像選択記録スイッチ７ｃの状態を検出することができる。
【００２７】
次に、図２ないし図４を使用して、ＣＰＵ１０による制御動作を処理ステップを追って説明する。なお、図２ないし図４において、Ｓ１ないしＳ２４の符号はＣＰＵ１０による制御動作の処理ステップに対して付与した符号である。
【００２８】
図２を使用して、制御動作の初期動作を説明する。  
先ず、フレームメモリ１２ａに更新許可を与え、セレクタ１８を接続先１８ｂに設定すること（Ｓ２参照）により、画像処理部６から次々に画像データ６ａが出力される毎に、フレームメモリ１２ａが更新されるようになる。  
次に、画像選択記録スイッチ７ｃの状態を検出し、ＯＦＦ状態であれば画像即時記録操作方法に対応した制御動作（図３参照）に制御を移し、ＯＮ状態であれば以下画像選択記録操作方法に対応した制御動作（図４参照）に制御を移す（Ｓ３参照）。
【００２９】
図３を使用して、画像即時記録操作方法（画像即時記録モード）に対応した制御動作を説明する。  
先ず、レリーズスイッチ１ａがＯＮ状態になるのを待つ（Ｓ４参照）。レリーズスイッチ１ａがＯＮ状態になったら、フレームメモリ１２ａを更新禁止にし、フレームメモリ１２ｂを更新許可にする（Ｓ５参照）ことにより、フレームメモリ１２ａは、レリーズスイッチ１ａをＯＮ状態にした時点における画像データ６ａを一時記憶したまま保持する。ここで、セレクタ１８を接続先１８ａに設定し（Ｓ６参照）、フレームメモリ１２ａに一時記憶された画像データを画像記録装置９に転送する（Ｓ７参照）。画像データの転送が完了したら、セレクタ１８を接続先１８ｂに戻す（Ｓ８参照）。  
以上の制御動作により、レリーズスイッチ１ａをＯＮ状態にする操作のみで、画像データ６ａがフレームメモリ１２ａに一時記憶され、他の操作を待たずに画像記録装置９に保存される。
【００３０】
図４を使用して、画像選択記録操作方法（画像選択記録モード）に対応した制御動作を説明する。  
先ず、レリーズスイッチ１ａがＯＮ状態になるのを待つ（Ｓ１０参照）。
【００３１】
レリーズスイッチ１ａがＯＮ状態になったら、フレームメモリ１２ａを更新禁止にし、フレームメモリ１２ｂを更新許可にする（Ｓ１１参照）ことにより、フレームメモリ１２ａに一時記憶された画像データを保持する。  
ここで、画像記録スイッチ７ａがＯＮ状態になるのを待ち（Ｓ１２、Ｓ１７参照）、画像記録スイッチ７ａがＯＮ状態になったら（Ｓ１２参照）、フレームメモリ１２ａに一時記憶されている画像データを画像記録装置９に転送する（Ｓ１３ないしＳ１５参照）ことにより、画像データの保存を完了する。
【００３２】
画像記録スイッチ７ａがＯＮ状態になる前にレリーズスイッチ１ａが再度ＯＮ状態になった場合には（Ｓ１２、Ｓ１７参照）、フレームメモリ１２ａを更新許可にし、フレームメモリ１２ｂを更新禁止にする（Ｓ１８参照）ことにより、フレームメモリ１２ｂに一時記憶された画像データを保持する。  
ここで、画像記録スイッチ７ａがＯＮ状態になるのを待ち（Ｓ１９、Ｓ２４参照）、画像記録スイッチ７ａがＯＮ状態になったら（Ｓ１９参照）、フレームメモリ１２ｂに一時記憶されている画像データを画像記録装置９に転送する（Ｓ２０ないしＳ２２参照）ことにより、画像データの保存を完了する。
【００３３】
画像記録スイッチ７ａがＯＮ状態になる前にレリーズスイッチ１ａがＯＮ状態になった場合には（Ｓ１９、Ｓ２４参照）、再度フレームメモリ１２ａを更新禁止にし、フレームメモリ１２ｂを更新許可にする（Ｓ１１参照）ことによって、フレームメモリ１２ａに一時記憶されている画像データを保持し、以上と同様の処理を繰り返す。
【００３４】
図４によって以上説明したように、画像選択記録操作方法（画像選択記録モード）を選択している場合には、レリーズスイッチ１ａをＯＮ状態にすることにより画像データ６ａが一時記憶され、画像記録スイッチ７ａをＯＮ状態にすることにより一時記憶されている画像データが画像記録装置９に保存されるように制御される。  
また、画像記録スイッチ７ａにより画像記録装置９に保存される画像データは、画像記録スイッチ７ａがＯＮ状態になる前の最も間近の時点でレリーズスイッチ１ａがＯＮ状態となった際に一時記憶された画像データである。
【００３５】
図２ないし図４によって以上説明したように、内視鏡画像記録装置３１は、画像選択記録スイッチ７ｃをＯＦＦ状態にすれば画像即時記録操作方法（画像即時記録モード）に対応した動作をし、画像選択スイッチ７ｃをＯＮ状態にすれば画像選択記録操作方法（画像選択記録モード）に対応した動作をするように制御される。
【００３６】
次に、図５を使用して、画像処理部６の構成を説明する。  
画像処理部６において、画像データ５ａが入力されて、画像データ６ａが出力されるまでの経路には３つある。  
第１の経路は、何も画像処理を施さずに、入力された画像データ５ａをそのまま画像データ６ａとして出力する経路である。
【００３７】
第２の経路は、入力された画像データ５ａを強調処理回路２３に入力し、この強調処理回路２３からの出力を画像データ６ａとして出力する経路である。
【００３８】
第３の経路は、入力された画像データ５ａをフィールド・フレーム変換回路４２に入力し、このフィールド・フレーム変換回路の出力を強調処理回路２３に入力し、この強調処理回路２３の出力をフレーム・フィールド変換回路４５に入力し、このフレーム・フィールド変換回路４５の出力を画像データ６ａとして出力する経路である。
【００３９】
フィールド・フレーム変換回路４２は、図示しない画像メモリ及びこの画像メモリを制御するための図示しない画像メモリ制御回路などにより構成され、インタレース方式の画像データであるフィールド画像データをノンインタレース方式の画像データであるフレーム画像データに変換する機能を有する。フレーム・フィールド変換回路４５は、図示しない画像メモリ及びこの画像メモリを制御するための図示しない画像メモリ制御回路などにより構成され、ノンインタレース方式の画像データであるフレーム画像データをインタレース方式の画像データであるフィールド画像データに変換する機能を有する。  
強調処理回路２３は、指定された色彩を強調したり、指定された空間周波数の帯域を強調するなどの強調処理を画像データに施す機能を有する。
【００４０】
画像データの経路を選択するために、セレクタ４１、４３、４６、４７が設けられている。
【００４１】
セレクタ４１を接続先４１ｂに設定し、且つセレクタ４７を接続先４７ｂに設定することにより、前記第１の経路が選択される。セレクタ４１を接続先４１ｂに設定し、且つセレクタ４３を接続先４３ｂに設定し、且つセレクタ４６を接続先４６ａに設定し、且つセレクタ４７を接続先４７ａに設定することにより、前記第２の経路が選択される。セレクタ４１を接続先４１ａに設定し、且つセレクタ４３を接続先４３ａに設定し、且つセレクタ４６を接続先４６ｂに設定し、且つセレクタ４７を接続先４７ａに設定することにより、前記第３の経路が選択される。各セレクタ４１、４３、４６、４７における接続先の設定は、図示しないスイッチなどにより行われる。
【００４２】
クロック切換回路４８は、図示しないクロック発生回路により発生されたクロック信号φを入力し、このクロック信号φと同じ周波数のクロック信号φＸ１及び２倍の周波数のクロック信号φＸ２を生成する機能を有する。これらのクロック信号φＸ１、φＸ２は、フィールド・フレーム変換回路４２、フレーム・フィールド変換回路４５、強調処理回路４４に供給されている。
【００４３】
図６ないし図７を使用して、フィールド・フレーム変換回路４２及びフレーム・フィールド変換回路４５におけるフィールド画像データとフレーム画像データとの関係を説明する。  
図６中の四角枠内は画像データを表示した場合の画像を示し、この画像が走査線５１ａ、５２ａ、５１ｂ、５２ｂ、５１ｃ、…、により構成されている場合を考える。  
フレーム画像データの場合、走査線５１ａ、５２ａ、５１ｂ、５２ｂ、５１ｃ、…、は、図７（Ｂ）のタイムチャートに示すように、走査線５１ａ、５２ａ、５１ｂ、５２ａ、５１ｃの順番で時間的に配置されている。公知のように、この時間的な走査線の配置による１コマにより１フレームが構成されている。
【００４４】
フィールド画像データの場合には、図７（Ａ）のタイムチャートに示すように、走査線５１ａ、５１ｂ、５１ｃ、…、５２ａ、５２ｂ、…、の順番で時間的に配置されている。公知のように、この時間的な走査線の配置による１コマにより１フィールドが構成されている。  
つまり、フィールド画像データは、１走査線おきに時間的に配置されており、時間的に隣り合う２つのフィールドを重ね合わせることにより１つのフレームが構成されるようになっている。
【００４５】
図５及び図７を使用して、フィールド・フレーム変換回路４２の機能を説明する。  
画像処理回路６に入力される画像データ５ａがフィールド画像データである場合、このフィールド画像データをそのまま強調処理回路４４に入力して強調処理を施そうとすると、各フィールドが１走査線おきに入力されてくるために、走査線の補間処理などを施す必要が発生し、強調処理回路４４の構成が複雑になってしまう。従って、画像データ５ａがフィールド画像データである場合には、画像処理部６内において前記第３の経路を選択し、強調処理回路４４によって強調処理を施す前に、フィールド・フレーム変換回路４２によってフィールド・フレーム変換を施す。
【００４６】
フィールド画像データは、クロック信号φＸ１によって走査されている。そこで、まずこのクロック信号φＸ１により、フィールド・フレーム変換回路４２内の図示しない画像メモリへフィールド画像データが書き込まれる。この画像メモリは走査線の空間的な配置を組み替えてフレーム画像データを得るためのものである。この時、クロック信号φＸ１をそのまま使用してフレーム画像データを画像メモリから読み出そうとすると、１つのフレームは２つのフィールドによって構成されているため、時間的な画質の劣化或いは空間的な画質の劣化が発生してしまう。そこで、画質を損なわずに画像メモリからフレーム画像データを読み出すために、画像メモリに書き込んだ時に使用したクロック信号φＸ１の２倍の周波数であるクロック信号φＸ２が使用される。このように、フィールド・フレーム変換回路４２は、画像データ入力時と出力時においてクロック信号φＸ１、φＸ２を切り換えて画像データを走査することにより、図７（Ａ）に示すフィールド画像データを図７（Ｂ）に示すフレーム画像データに変換している。
【００４７】
また、フレーム・フィールド変換回路４５は、フィールド・フレーム変換回路４２と逆の動作をさせることにより、図７（Ｂ）に示すフレーム画像データを図７（Ａ）に示すフィールド画像データに変換している。
【００４８】
図８を使用して、強調処理回路４４による強調処理を迂回した方がよい場面を説明する。  
モニタ装置１６に表示される画像６１には、被写体像６２が表示されている。内視鏡１から出力されるの内視鏡映像信号１ｃには、この被写体像６２の他に、操作者に対するメッセージ６３が含まれているる場合がある。このメッセージ６３を表示中に前記強調処理回路４４により強調処理が施されると、このメッセージ６３を構成する文字の形や色が変わってしまい、このメッセージ６３を読み辛くなってしまう。このような場合には、画像処理回路６において第１の経路を選択し、フィールド・フレーム変換回路４２、強調処理回路４４、フレーム・フィールド変換回路４５を迂回する。
【００４９】
以上述べたように本実施例１における内視鏡画像記録装置３１は、内視鏡１から入力される画像データを一時記憶するための画像一時記憶手段であるフレームメモリ１２ａ、１２ｂと、前記画像一時記憶手段であるフレームメモリ１２ａ、１２ｂに一時記憶されている画像データを保存するための画像保存手段である画像記録装置９と、前記画像一時記憶手段であるフレームメモリ１２ａ、１２ｂ及び前記画像保存手段である画像記録装置９に画像データを記録させるための指示を入力するための画像記録指示手段であるレリーズスイッチ１ａの信号１ｂ及び画像記録スイッチ７ａと、前記画像記録指示手段であるレリーズスイッチ１２ａ、１２ｂ及び画像記録スイッチ７ａに対する２つの画像記録操作方法（画像記録モード）である画像即時記録操作方法（画像即時記録モード）及び画像選択記録操作方法（画像選択記録モード）の内から選択するための画像記録モード選択手段である画像選択記録スイッチ７と、前記２つの画像記録操作方法（画像記録モード）である画像即時記録操作方法（画像即時記録モード）及び画像選択記録操作方法（画像選択記録モード）に対応して前記画像一時記憶手段であるフレームメモリ１２ａ、１２ｂ及び前記画像保存手段である画像記録装置９に画像データを記録する制御を行うＣＰＵ１０などからなる画像記録制御手段と、を具備している。
【００５０】
以上述べた本実施例による効果を以下に挙げる。  
本実施例により、２つの画像記録操作方法（画像記録モード）である画像即時記録操作方法（画像即時記録モード）及び画像選択記録操作方法（画像選択記録モード）の内から使用する画像記録操作方法（画像記録モード）を選択可能になり、操作効率を向上できる。
【００５１】
例えば医療用に使用する場合、１つの内視鏡画像記録装置において２つの画像記録操作方法（画像記録モード）である画像即時記録操作方法（画像即時記録モード）及び画像選択記録操作方法（画像選択記録モード）を使い分けることができるため、患者数が多い時には画像即時記録操作方法（画像即時記録モード）を使用して画像の取捨選択を後回しにすることで診察時間を短縮し、患者数が多くない時には診察時に画像の取捨選択を行って診察後における画像の取捨選択にかかる時間を短縮することができ、使用する状況に応じて効率のよい診断を行うことができる。本実施例における内視鏡画像記録装置は、画像選択記録操作方法（画像選択記録モード）に対応し、電子内視鏡に配設されているレリーズスイッチをＯＮ状態にするなどの操作により被写体の画像データを一時記憶した後、画像を記録すべきか適切な判断を行ってから別の画像記録スイッチをＯＮ状態にする操作をすることで画像記録装置に保存するように制御するため、確実かつ効率よい記録が可能になる。
【００５２】
本実施例における内視鏡画像記録装置では、画像選択記録操作方法（画像選択記録モード）を選択して画像記録操作を行っている場合においても、取捨選択する画像をモニタ装置に表示しない構成としたため、モニタ装置によって被写体を観察している診断中であっても、画像の取捨選択を行うことによって診断が中断されなくてすむ。
【００５３】
図９ないし図１３は本発明の実施例２に係り、図９は内視鏡画像記録装置の構成を示すブロック図、図１０は制御動作の初期動作の流れを示すフローチャート、図１１は画像即時記録操作方法（画像即時記録モード）に対応した制御動作を示すフローチャート、図１２は画像選択記録操作方法（画像選択記録モード）に対応した制御動作を示すフローチャート、図１３は選択可能な画像記録操作方法（画像記録モード）の一覧を表示するためのメニュー画像を示す画面構成図である。なお、本実施例で述べていない部位の構成及び動作は実施例１における構成及び動作と同じである。
【００５４】
図５を使用して、内視鏡画像記録装置３１の構成を説明する。  
本実施例における内視鏡画像記録装置３１の実施例１と異なる点は、画像記録モード選択手段により選択可能な画像記録操作方法（画像記録モード）の一覧を映像表示手段であるモニタ装置１６に表示するための画像データである操作方法（画像記録モード）一覧画像を生成する画像記録モード一覧画像生成手段と、画像記録モード一覧画像生成手段を作動させて画像記録モード一覧画像をモニタ装置１６に出力させる指示を入力するための画像記録モード一覧画像表示指示手段と、を設けたことである。
【００５５】
先ず、画像記録モード一覧画像表示指示手段の構成を説明する。  
本実施例における内視鏡画像記録装置３１の入力操作部７には、画像記録操作方法（画像記録モード）の一覧を表示する画像である画像記録モード一覧画像をモニタ装置１６上に表示させる指示を入力するための画像記録モード一覧画像表示手段であるメニュー画像表示スイッチ７ｅが設けられている。このメニュー画像表示スイッチ７ｅは、操作者による操作力が加えられていない間にはＯＦＦ状態となり、操作力が加えられている間にはＯＮ状態となる。メニュー画像表示スイッチ７ｅの状態を伝える信号は、Ｉ／Ｏインタフェース回路８に入力される。Ｉ／Ｏインタフェース回路は信号線１０ａを介してＣＰＵ１０に接続されており、ＣＰＵ１０はメニュー画像表示スイッチ７ｅの状態を検出することができる。ＣＰＵ１０がメニュー画像表示スイッチ７ｅのＯＮ状態を検出すると、後述する構成により画像記録モード一覧画像であるメニュー画像がモニタ装置１６に表示される。
【００５６】
次に、画像記録モード一覧画像生成手段の構成を説明する。  
実施例１においては、Ｄ／Ａ変換回路１５を介してモニタ装置１６に出力される画像データは画像処理部６の出力である画像データ６ａのみであったが、実施例２では、Ｄ／Ａ変換回路１５を介して出力する画像データを切り換えるためのセレクタ７１が設けられている。セレクタ７１は、Ｄ／Ａ変換回路１５の入力側の接続先として２個の接続先７１ａ、７１ｂのいずれかを選択できるようになっている。セレクタ７１の接続先の状態は、ＣＰＵ１０からの制御信号１０ｆによって制御される。セレクタ７１において接続先７１ａが設定されている状態では、画像処理部６から出力される画像データ６ａがＤ／Ａ変換回路１５に入力される。セレクタ７１において接続先７１ｂに設定されている場合には、メニュー画像を生成するための画像記録モード一覧画像生成手段を構成するメユー画像生成部７４の出力７４ｂが、Ｄ／Ａ変換回路１５に入力される。
【００５７】
メニュー画像生成部７４は、ＲＯＭ或いは磁気ディスク等で構成されるデータ記憶装置１９に記録されているメニュー画像用データ１９ａを使ってメニュー画像を生成する。  
ＣＰＵ１０は、ＣＰＵ１０のデータバス８ａに接続されたＩ／Ｏインタフェース回路８を介して、データ記憶装置１９に接続されており、ＣＰＵ１０はデータ記憶装置１９からメニュー画像用データ１９ａを読み出すことができる。
【００５８】
ところで、メモリ１２はセレクタ１８によって接続先を３つの接続先１８ａ、１８ｂ、１８ｃの内から選択できるようになっている。接続先１８ａ、１８ｂは、実施例１における構成と同じである。ＣＰＵ１０は、セレクタ１８において接続先１８ａを設定することにより、データ記憶装置１９から読み出したメニュー画像用データ１９ａをフレームメモリ１２ａ、１２ｂのいずれか一方に書き込むことができる。
【００５９】
本実施例におけるセレクタ１８は、接続先として接続先１８ｃが追加された点が実施例１の場合と異なる。セレクタ１８において接続先１８ｃが選択されると、メモリ１２はメニュー画像用データ１９を記録するためのバッファ記憶部７３に接続される。バッファ記憶部７３は、セレクタ１８を介してメモリ１２に接続されると、フレームメモリ１２ａ、１２ｂのいずれかに一時記憶されたメニュー画像用データ１９ａを読み出し、このバッファ記憶部７３内にメニュー画像用データ１９ａを記録する。メニュー画像生成部７４は、ＣＰＵ１０からの制御信号１０ｅによって動作を制御され、バッファ記憶部７３内に記録されたメニュー画像用データ１９を読み出しながらメニュー画像を生成し、このメニュー画像は、セレクタ７１、Ｄ／Ａ変換回路１５を介してモニタ１６に出力される。バッファ記憶部７３をメニュー画像生成部７４の前段に設けることにより、メニュー画像生成部７４がメモリ１２を占有してしまうことを防止できる。
【００６０】
次に、図１０ないし図１２を使用して、ＣＰＵ１０による各部に対する制御動作を説明する。なお、図中のＳ２５ないしＳ５５は制御動作の処理ステップに付与した符号である。  
先ず、図１０を使用して制御動作の初期動作を説明する。  
実施例２のでは、セレクタ７１が設けられたので、画像処理部６から出力される画像データ６ａをＤ／Ａ変換回路１５に伝えるために、セレクタ７１を接続先７１に設定する処理が追加されている（Ｓ２６、Ｓ３０参照）。
【００６１】
また、実施例２では、画像選択記録スイッチ７ｃの状態を確認してそれぞれの画像記録操作方法に対応した制御動作へ移行する（Ｓ３３参照）前に、メニュー画像を表示するための制御動作が加えられている。  
以上の制御動作が追加されたこと以外は、実施例１の場合と同じ制御動作である。
【００６２】
メニュー画像を表示するための制御動作を以下に説明する。  
先ず、メニュー画像表示スイッチ７ｅがＯＮ状態になるのを待つ（Ｓ２７参照）。メニュー画像表示スイッチ７ｅがＯＮ状態になったら、セレクタ１８を接続先１８ａに設定する（Ｓ２８参照）ことにより、データ記憶装置１９内のメニュー画像用データ１９ａをフレームメモリ１２ａにコピーできる状態にし、データ記憶装置１９内のメニュー画像用データ１９ａをフレームメモリ１２ａにコピーする（Ｓ２９参照）。
【００６３】
次に、セレクタ７１を接続先７１ｂに設定する（Ｓ３０参照）ことにより、メニュー画像生成部７４から出力されるメニュー画像をＤ／Ａ変換回路１５を介してモニタ装置１６に出力できるようにする。また、セレクタ１８を接続先１８ｃに設定する（Ｓ３０参照）ことにより、フレームメモリ１２ａに記録されたメニュー画像用データ１９ａをバッファ記憶部７３が読み出す。そして、メニュー画像生成部７４は、バッファ記憶部７３に記憶されたメニュー画像用データ１９ａを使用して、メニュー画像を生成する（Ｓ３１参照）。以上の制御動作により、メニュー画像がモニタ装置１６に表示される（Ｓ３２参照）。
【００６４】
次に、図１１を使用して、画像即時記録操作方法（画像即時記録モード）に対応した制御動作を説明する。  
実施例２では、セレクタ７１が設けられたので、画像処理部６から出力される画像データ６ａをＤ／Ａ変換回路１５に伝えるために、セレクタ７１を接続先７１ａに設定する処理が追加されている（Ｓ３４、Ｓ３９参照）。この処理が追加されたこと以外は、実施例１の場合と同じ制御動作である。
【００６５】
次に、図１２を使用して、画像選択記録操作方法（画像選択記録モード）に対応した制御動作を説明する。  
実施例２では、セレクタ７１が設けられたので、画像処理部６から出力される画像データ６ａをＤ／Ａ変換回路１５に伝えるために、セレクタ７１を接続先７１ａに設定する処理が追加されている（Ｓ４１、Ｓ４７、Ｓ５４参照）。この処理が追加されたこと以外は、実施例１の場合と同じ制御動作である。
【００６６】
次に、図１３を使用して、モニタ装置１６に表示されるメニュー画像の例を説明する。  
図１３（Ａ）に示すように、メニュー画像８１には、画像記録操作方法（画像記録モード）の選択肢として、画像選択記録操作方法（画像選択記録モード）をＯＮ状態にして画像選択記録操作方法（画像選択記録モード）を選択する場合と、ＯＦＦ状態にする場合つまり画像即時記録操作方法（画像即時記録モード）を選択する場合と、の２つの選択肢が表示されている。図１３（Ａ）は、ＯＮ状態を選択した場合の表示である。図１３（Ｂ）は、ＯＦＦ状態を選択した場合の表示である。
【００６７】
以上述べた本実施例における内視鏡画像記録装置３１は、内視鏡画像記録装置３１に接続される画像表示手段であるモニタ装置１６に映像信号を出力するための映像信号出力手段であるＤ／Ａ変換回路１５と、画像記録モード選択手段である画像選択記録スイッチ７ｃにより選択可能な画像即時記録操作方法（画像即時記録モード）と画像選択記録操作方法（画像選択記録モード）とを含む画像記録操作方法（画像記録モード）の一覧を画像表示手段であるモニタ装置１６に表示するための画像記録モード一覧画像であるメニュー画像を生成するメニュー画像生成部７４などからなる画像記録モード一覧画像生成手段と、メニュー画像生成部７４などからなる画像記録モード一覧画像生成手段を作動させて画像操作方法一覧画像であるメニュー画像を映像表示手段であるモニタ装置１６へ出力させる指示を入力するための画像記録モード一覧画像表示指示手段であるメニュー画像表示スイッチ７ｅと、を具備している。
【００６８】
本実施例における内視鏡画像装置３１によっても、実施例１と同様の効果が得られる。  
なお、本発明は、実施例１、実施例２で述べた実施の形態のみに限定されるものではなく、発明の要旨を逸脱しない範囲で種々変形実施可能である。
【００６９】
画像データ６ａを例えばフレームメモリ１２ａに一時記憶する方法は、第１の実施の形態のように通常は最新の画像データ６ａに更新されているフレームメモリ１２ａをレリーズスイッチ１ａなどの指示によって更新禁止にする方法であってもよいし、レリーズスイッチ１ａなどの指示を検出してから画像データ６ａをフレームメモリ１２ａに記録する方法であってもよい。
【００７０】
内視鏡画像記録装置３１に接続する電子内視鏡１は、電子内視鏡に限らず、光学内視鏡でもよい。光学内視鏡を接続する場合には、光学内視鏡による光学像を撮像して光電変換するための撮像手段を介して接続する。  
一時記憶手段に一時記憶された画像データは、モニタ装置１６に表示されない構成となっているが、一時記憶手段に一時記憶された画像データを時分割によって読み出す手段を設けることなどにより、モニタ装置１６に表示する構成にしてもよい。  
フレームメモリ１２ａ、１２ｂは、２個に限らず、３個以上で設けてもよい。この場合、更新許可を与えられるフレームメモリは同時に１個だけであるように構成する。  
フレームメモリ１２ａ、１２ｂから画像記録装置９への画像データの転送は、ＣＰＵ１０を介してもよいし、Ｉ／Ｏインタフェース回路８内にＤＭＡ回路を設けるなどしてＣＰＵ１０を介さないで転送してもよい。  
画像記録装置９は、書き込み可能なものであれば媒体を限らない。例えば、ハードディスク、光磁気ディスク、ミニディスク、フロッピディスク、メモリカードなどでもよい。  
内視鏡画像記録装置３１の用途は、医療用、各種工業用など用途を限らない。  内視鏡１から出力される内視鏡映像信号１ｃは、インタレース式の映像信号でもノンインタレース式の映像信号でもよい。例えば内視鏡スイッチ検出部２、ＵＡＲＴ３、映像信号処理回路４などは、外部装置としてもよい。  
画像記録モード選択手段は、スイッチ以外のもの例えば選択式の押しボタン、レバー、キーボード、マウスなどで構成されていてもよい。画像記録指示手段は、内視鏡画像記録装置に配設されたフットスイッチにより構成されていてもよい。
【００７１】
[付記]
（１）内視鏡に備えられた撮像手段或いは内視鏡に接続された撮像手段により撮像された被写体像の画像データを保存するための内視鏡画像記録装置において、
前記撮像手段から入力される画像データを一時記憶するための画像一時記憶手段と、
前記画像一時記憶手段に一時記憶されている画像データを保存するための画像保存手段と、
前記画像一時記憶手段及び前記画像保存手段に画像データを記録させるための指示を入力するための１つ以上の画像記録指示手段と、
前記画像記録指示手段に対する操作によって得られる画像記録操作方法（画像記録モード）を複数の画像記録操作方法（画像記録モード）の内から選択するための画像記録モード選択手段と、
前記複数の画像記録操作方法（画像記録モード）に対応して前記画像一時記憶手段及び前記画像保存手段に画像データを記録する制御を行う画像記録制御手段と、
を具備したことを特徴とする内視鏡画像記録装置。
【００７２】
（２）前記複数の画像記録操作方法（画像記録モード）は、
１つの画像記録指示手段に対する操作によって前記画像一時記憶手段に一時記憶される画像データはすべて画像保存手段に保存される第１の画像記録操作方法（画像記録モード）と、
１つの画像記録指示手段に対する操作によって前記画像一時記憶手段に一時記憶される画像データの内他の１つの画像記録指示手段に対する操作によって選択された画像データのみが前記画像保存手段に保存される第２の画像記録操作方法（画像記録モード）と、
を含むことを特徴とする付記（１）記載の内視鏡画像記録装置。
【００７３】
（３）前記画像記録指示手段は、
前記画像記録モード選択手段により前記第１の画像記録操作方法（画像記録モード）が選択されている場合に前記画像一時記憶手段及び前記画像保存手段に画像データを記録する指示を入力するための第１の画像記録指示手段と、
前記画像記録モード選択手段により前記第２の画像記録操作方法（画像記録モード）が選択されている場合に前記画像一時記憶手段に画像データを一時記憶するための指示を入力するための第２の画像記録指示手段と、
前記画像記録モード選択手段により前記第２の画像記録操作方法（画像記録モード）が選択されている場合に前記画像一時記憶手段に一時記憶されている画像データを選択的に前記画像保存手段に保存する指示を入力するための第３の画像記録指示手段と、
から構成されることを特徴とする付記（２）記載の内視鏡画像記録装置。
【００７４】
（４）前記第１の画像記録指示手段及び前記第２の画像記録指示手段は同一のスイッチにより構成されている
ことを特徴とする付記（３）記載の内視鏡画像記録装置。
【００７５】
（５）前記第１の画像記録指示手段及び前記第２の画像記録指示手段は前記内視鏡に配設されている同一のレリーズスイッチから内視鏡画像記録装置に入力される信号線により構成されている
ことを特徴とする付記（３）記載の内視鏡画像記録装置。
【００７６】
（６）前記第３の画像記録指示手段は内視鏡画像記録装置に配設された手動スイッチにより構成されている
を特徴とする付記（３）記載の内視鏡画像記録装置。
【００７７】
（７）前記第３の画像記録指示手段は内視鏡画像記録装置に配設されたフットスイッチにより構成されている
ことを特徴とする付記（３）記載の内視鏡画像記録装置。
【００７８】
（８）前記第３の画像記録指示手段に指示を入力することによって前記画像保存手段に保存される前記画像一時記憶手段内の画像データは第２の画像記録指示手段に最も間近に入力された指示によって前記画像一時記憶手段に一時記憶された画像データであること
を特徴とする付記（３）記載の内視鏡画像記録装置。
【００７９】
（９）前記画像一時記憶手段に一時記憶される画像データは第１の画像記録指示手段或いは第２の画像記録指示手段に指示が入力された時点で既に内視鏡画像記録装置に入力されている画像データであること
を特徴とする付記（３）記載の内視鏡画像記録装置。
【００８０】
（１０）内視鏡画像記録装置に接続される画像表示手段に映像信号を出力するための映像信号出力手段と、
前記画像記録モード選択手段により選択可能な前記画像記録操作方法（画像記録モード）の一覧を前記画像表示手段に表示するための画像データである画像記録モード一覧画像を生成する画像記録モード一覧画像生成手段と、
前記画像記録モード一覧画像生成手段を作動させて前記画像記録モード一覧画像を前記映像表示手段へ出力させる指示を入力するための画像記録モード一覧画像表示指示手段と、
を具備することを特徴とする付記（１）記載の内視鏡画像記録装置。
【００８１】
（１１）前記一時記憶手段に一時記憶されている画像データは画像表示手段に出力されないこと
を特徴とする付記（１）記載の内視鏡画像記録装置。
【図面の簡単な説明】
【００８２】
【図１】図１ないし図８は本発明の実施例１に係り、図１は内視鏡画像記録装置の構成を示すブロック図
【図２】制御動作の初期動作を示すフローチャート
【図３】画像即時記録方式に対応した制御動作を示すフローチャート
【図４】画像選択記録方式に対応した制御動作を示すフローチャート
【図５】画像処理部の構成を示すブロック図
【図６】インタレース方式とノンインタレース方式との空間的な関係を説明する説明図
【図７】インタレース方式とノンインタレース方式との時間的な関係を説明するタイムチャート
【図８】内視鏡からのメッセージを含んだモニタ表示の例
【図９】図９ないし図１３は本発明の実施例２に係り、図９は内視鏡画像記録装置の構成を示すブロック図
【図１０】制御動作の初期動作を示すフローチャート
【図１１】画像即時記録方式に対応した制御動作を示すフローチャート
【図１２】画像選択記録方式に対応した制御動作を示すフローチャート
【図１３】メニュー画像の表示図
【符号の説明】
【００８３】
１…電子内視鏡
１ａ…レリーズスイッチ
２…内視鏡スイッチ検出部
３…ＵＡＲＴ
４…映像信号処理回路
５…Ａ／Ｄ変換回路
６…画像処理部
７…入力操作部
７ａ…画像記録スイッチ
７ｃ…画像選択記録スイッチ
７ｅ…メニュー画像表示スイッチ
８…Ｉ／Ｏインタフェース回路
９…画像記録装置
１０…ＣＰＵ
１１…メモリ制御部
１２…メモリ
１２ａ、１２ｂ…フレームメモリ
１５…Ｄ／Ａ変換回路
１６…モニタ装置
１８…セレクタ
１９…データ記憶装置
７１…セレクタ
７３…バッファ記憶部
７４…メニュー画像生成部
代理人    弁理士    伊藤  進
【図１】
2005288182.tif 000003
【図２】
2005288182.tif 000004
【図３】
2005288182.tif 000005
【図４】
2005288182.tif 000006
【図５】
2005288182.tif 000007
【図６】
2005288182.tif 000008
【図７】
2005288182.tif 000009
【図８】
2005288182.tif 000010
【図９】
2005288182.tif 000011
【図１０】
2005288182.tif 000012
【図１１】
2005288182.tif 000013
【図１２】
2005288182.tif 000014
【図１３】
2005288182.tif 000015